(57)【要約】【課題】セキュリティが守られた状態で画像情報が通信されたことをユーザが容易に知ることができる画像通信装置を提供する。【解決手段】ネットワークを介して接続された相手端末とリアルタイム型インターネットファクシミリ通信を実行する画像通信装置は、ＩＰセキュリティプロトコルを用いて画像情報を送信するか否かを判定する（Ｓ７０３）。また、ＩＰセキュリティプロトコルを用いて送信する場合には、セキュリティを保たれた状態（暗号化された状態）で画像情報が送信されたことを示す情報を、画像情報のヘッダー領域に画像として付加して（Ｓ７０５）相手端末に送信する。【選択図】図７
2008131494.tif 000002
【特許請求の範囲】
【請求項１】
ネットワークを介して接続された相手端末とリアルタイム型インターネットファクシミリ通信を実行する画像通信装置であって、
前記相手端末に送信すべき画像情報を暗号化する暗号化手段と、
前記画像情報が前記暗号化手段により暗号化されて送信されるか否かを判定する判定手段と、
前記判定手段による判定の結果、前記画像情報が前記暗号化手段により暗号化されて送信される場合に、前記画像情報が暗号化されて送信されたことを示す付加情報を当該画像情報に付加する付加手段と、
前記付加情報が付加されて前記暗号化手段により暗号化された前記画像情報を、前記相手端末に送信する送信手段と、
を備えることを特徴とする画像通信装置。
【請求項２】
前記付加情報を作成する作成手段を更に備え、
前記付加手段は、前記作成手段により作成された付加情報を、前記画像情報の中のヘッダー領域に付加することを特徴とする請求項１に記載の画像通信装置。
【請求項３】
前記送信手段は、ＩＴＵ−Ｔ勧告Ｔ．３８に従って前記リアルタイム型インターネットファクシミリ通信を実行し、前記画像情報を送信することを特徴とする請求項１または２に記載の画像通信装置。
【請求項４】
前記暗号化手段は、ＩＰセキュリティプロトコルに従って、前記画像情報に基づくＩＰパケットを暗号化することを特徴とする請求項１から３のいずれか１項に記載の画像通信装置。
【請求項５】
ネットワークを介して接続された相手端末とリアルタイム型インターネットファクシミリ通信を実行する画像通信装置であって、
前記相手端末から送信された画像情報を受信する受信手段と、
前記受信手段が受信した画像情報が暗号化されている場合に、該画像情報を復号化する復号化手段と、
前記受信手段が受信した画像情報が暗号化されていたか否かを判定する判定手段と、
前記判定手段による判定の結果、前記画像情報が暗号化されていた場合に、前記画像情報が暗号化されて送信されたことを示す付加情報を、前記復号化手段により復号化された画像情報に付加する付加手段と、
前記付加情報が付加された画像情報を印刷する印刷手段と、
を備えることを特徴とする画像通信装置。
【請求項６】
前記付加情報を作成する作成手段を更に備え、
前記付加手段は、前記作成手段により作成された付加情報を、前記画像情報の中のフッター領域に付加することを特徴とする請求項５に記載の画像通信装置。
【請求項７】
前記受信手段は、ＩＴＵ−Ｔ勧告Ｔ．３８に従って前記リアルタイム型インターネットファクシミリ通信を実行し、前記画像情報を受信することを特徴とする請求項５または６に記載の画像通信装置。
【請求項８】
前記復号化手段は、ＩＰセキュリティプロトコルに従って、暗号化された前記画像情報に基づくＩＰパケットを復号化することを特徴とする請求項５から７のいずれか１項に記載の画像通信装置。
【請求項９】
ネットワークを介して接続された相手端末に送信すべき画像情報を暗号化する暗号化ステップと、
前記画像情報が前記暗号化ステップで暗号化されて送信されるか否かを判定する判定ステップと、
前記判定ステップにおける判定の結果、前記画像情報が前記暗号化ステップで暗号化されて送信される場合に、前記画像情報が暗号化されて送信されたことを示す付加情報を当該画像情報に付加する付加ステップと、
前記付加情報が付加されて前記暗号化ステップで暗号化された前記画像情報を、リアルタイム型インターネットファクシミリ通信を実行して前記相手端末に送信する送信ステップと、
を備えることを特徴とする画像通信方法。
【請求項１０】
ネットワークを介して接続された相手端末からリアルタイム型インターネットファクシミリ通信を用いて送信された画像情報を受信する受信ステップと、
前記受信ステップで受信した画像情報が暗号化されている場合に、該画像情報を復号化する復号化ステップと、
前記受信ステップで受信した画像情報が暗号化されていたか否かを判定する判定ステップと、
前記判定ステップにおける判定の結果、前記画像情報が暗号化されていた場合に、前記画像情報が暗号化されて送信されたことを示す付加情報を、前記復号化ステップで復号化された画像情報に付加する付加ステップと、
前記付加情報が付加された画像情報を印刷する印刷ステップと、
を備えることを特徴とする画像通信方法。
【請求項１１】
ネットワークを介して接続された相手端末に送信すべき画像情報を暗号化する暗号化モジュールと、
前記画像情報を前記暗号化モジュールが暗号化して送信するか否かを判定する判定モジュールと、
前記判定モジュールが判定した結果、前記画像情報を前記暗号化モジュールが暗号化して送信する場合に、前記画像情報が暗号化されて送信されたことを示す付加情報を当該画像情報に付加する付加モジュールと、
前記付加情報が付加されて前記暗号化が暗号化した前記画像情報を、リアルタイム型インターネットファクシミリ通信を実行して前記相手端末に送信する送信モジュールと、
をコンピュータに実行させることを特徴とする画像通信プログラム。
【請求項１２】
ネットワークを介して接続された相手端末からリアルタイム型インターネットファクシミリ通信を用いて送信された画像情報を受信する受信モジュールと、
前記受信モジュールが受信した画像情報が暗号化されている場合に、該画像情報を復号化する復号化モジュールと、
前記受信モジュールが受信した画像情報が暗号化されていたか否かを判定する判定モジュールと、
前記判定モジュールが判定した結果、前記画像情報が暗号化されていた場合に、前記画像情報が暗号化されて送信されたことを示す付加情報を、前記復号化モジュールが復号化した画像情報に付加する付加モジュールと、
前記付加情報が付加された画像情報を印刷する印刷モジュールと、
をコンピュータに実行させることを特徴とする画像通信プログラム。
【請求項１３】
請求項１１に記載の画像通信プログラムを格納するコンピュータ読み取り可能な記憶媒体。
【請求項１４】
請求項１２に記載の画像通信プログラムを格納するコンピュータ読み取り可能な記憶媒体。
【発明の詳細な説明】
【技術分野】
【０００１】
本発明は、ＩＰパケットを暗号化して通信する経路暗号化通信（ＩＰセキュリティプロトコル通信）方式を用いたリアルタイム型インターネットファクシミリ通信（ＩＰ−ＦＡＸ通信）を実行する画像通信装置及び方法、並びにプログラム及び記憶媒体に関する。特に、ＩＰ−ＦＡＸ関連情報の送信及び受信文書への付加技術に特徴のある画像通信装置及び方法、並びにプログラム及び記憶媒体に関する。
【背景技術】
【０００２】
従来、遠距離オフィス間の情報伝達手段として、ファクシミリ通信が用いられてきた。このファクシミリ装置は、アナログ回線であるＰＳＴＮ回線もしくはデジタル回線であるＩＳＤＮ回線を用いたものがある。また、上記ＰＳＴＮ回線を用いた伝送方式としては、ＩＴＵ−Ｔ勧告Ｔ．３０で設定されている１４．４ｋｂｐｓの通信速度を持つもの以外にＶ．３４で設定されている２８．８ｋｂｐｓの通信速度にてネゴシエーション可能なものがある。
【０００３】
そして近年、高速伝送が可能で、通信料金が安いというメリットからインターネット回線を利用したＩＰ−ＦＡＸ（インターネットファクシミリ）通信機能を搭載するファクシミリ装置が増えてきている。ＩＰ−ＦＡＸ通信では、ＩＴＵ−Ｔ勧告Ｔ．３８に従って、ファクシミリ信号をＩＦＰ（インターネットファクシミリプロトコル）パケットに変換して、ネットワーク上に送出することにより、画像データの送受信を行う。
【０００４】
ところで、ＩＰ−ＦＡＸ通信でのファクシミリ通信時、ネットワーク伝送経路上はＩＰパケットとしてデータが流れるため、データの盗視、改ざん等の脅威にさらされている。これらの脅威からデータを守るために、最近では、伝送経路を暗号化して通信を行うＩＰセキュリティプロトコル通信を用いるようになってきている（例えば、特許文献１参照）。
【特許文献１】特開平１０−３２７１９３号公報
【発明の開示】
【発明が解決しようとする課題】
【０００５】
しかしながら、このＩＰ−ＦＡＸ通信でのファクシミリ通信時、送信側ユーザは、送信原稿が盗視、改ざん等の危険なく受信者の元へ送信されているか否かを送信文書から簡易に判別することができなかった。同様に、受信側ユーザは送られてきた原稿が伝送路上、盗視、改ざん等の危険なく送られてきているか否かを印刷された受信文書から簡易に判別することができなかった。
【０００６】
またＳＩＰ＋Ｔ．３８プロトコルによるＩＰ−ＦＡＸ通信特有の情報を送信文書及び印刷された受信文書から簡易に視認できないという問題があった。
【０００７】
本発明の目的は、セキュリティが守られた状態で画像情報が通信されたことをユーザが容易に知ることができる画像通信装置及び方法、並びにプログラム及び記憶媒体を提供することにある。
【課題を解決するための手段】
【０００８】
請求項１記載の画像通信装置は、ネットワークを介して接続された相手端末とリアルタイム型インターネットファクシミリ通信を実行する画像通信装置であって、前記相手端末に送信すべき画像情報を暗号化する暗号化手段と、前記画像情報が前記暗号化手段により暗号化されて送信されるか否かを判定する判定手段と、前記判定手段による判定の結果、前記画像情報が前記暗号化手段により暗号化されて送信される場合に、前記画像情報が暗号化されて送信されたことを示す付加情報を当該画像情報に付加する付加手段と、前記付加情報が付加されて前記暗号化手段により暗号化された前記画像情報を、前記相手端末に送信する送信手段とを備えることを特徴とする。
【０００９】
請求項５記載の画像通信装置は、ネットワークを介して接続された相手端末とリアルタイム型インターネットファクシミリ通信を実行する画像通信装置であって、前記相手端末から送信された画像情報を受信する受信手段と、前記受信手段が受信した画像情報が暗号化されている場合に、該画像情報を復号化する復号化手段と、前記受信手段が受信した画像情報が暗号化されていたか否かを判定する判定手段と、前記判定手段による判定の結果、前記画像情報が暗号化されていた場合に、前記画像情報が暗号化されて送信されたことを示す付加情報を、前記復号化手段により復号化された画像情報に付加する付加手段と前記付加情報が付加された画像情報を印刷する印刷手段とを備えることを特徴とする。
【００１０】
請求項９記載の画像通信方法は、ネットワークを介して接続された相手端末に送信すべき画像情報を暗号化する暗号化ステップと、前記画像情報が前記暗号化ステップで暗号化されて送信されるか否かを判定する判定ステップと、前記判定ステップにおける判定の結果、前記画像情報が前記暗号化ステップで暗号化されて送信される場合に、前記画像情報が暗号化されて送信されたことを示す付加情報を当該画像情報に付加する付加ステップと、前記付加情報が付加されて前記暗号化ステップで暗号化された前記画像情報を、リアルタイム型インターネットファクシミリ通信を実行して前記相手端末に送信する送信ステップとを備えることを特徴とする。
【００１１】
請求項１０記載の画像通信方法は、ネットワークを介して接続された相手端末からリアルタイム型インターネットファクシミリ通信を用いて送信された画像情報を受信する受信ステップと、前記受信ステップで受信した画像情報が暗号化されている場合に、該画像情報を復号化する復号化ステップと、前記受信ステップで受信した画像情報が暗号化されていたか否かを判定する判定ステップと、前記判定ステップにおける判定の結果、前記画像情報が暗号化されていた場合に、前記画像情報が暗号化されて送信されたことを示す付加情報を、前記復号化ステップで復号化された画像情報に付加する付加ステップと、前記付加情報が付加された画像情報を印刷する印刷ステップとを備えることを特徴とする。
【００１２】
請求項１１記載の画像通信プログラムは、ネットワークを介して接続された相手端末に送信すべき画像情報を暗号化する暗号化モジュールと、前記画像情報を前記暗号化モジュールが暗号化して送信するか否かを判定する判定モジュールと、前記判定モジュールが判定した結果、前記画像情報を前記暗号化モジュールが暗号化して送信する場合に、前記画像情報が暗号化されて送信されたことを示す付加情報を当該画像情報に付加する付加モジュールと、前記付加情報が付加されて前記暗号化が暗号化した前記画像情報を、リアルタイム型インターネットファクシミリ通信を実行して前記相手端末に送信する送信モジュールとをコンピュータに実行させることを特徴とする。
【００１３】
請求項１２記載の画像通信プログラムは、ネットワークを介して接続された相手端末からリアルタイム型インターネットファクシミリ通信を用いて送信された画像情報を受信する受信モジュールと、前記受信モジュールが受信した画像情報が暗号化されている場合に、該画像情報を復号化する復号化モジュールと、前記受信モジュールが受信した画像情報が暗号化されていたか否かを判定する判定モジュールと、前記判定モジュールが判定した結果、前記画像情報が暗号化されていた場合に、前記画像情報が暗号化されて送信されたことを示す付加情報を、前記復号化モジュールが復号化した画像情報に付加する付加モジュールと前記付加情報が付加された画像情報を印刷する印刷モジュールとをコンピュータに実行させることを特徴とする。
【００１４】
請求項１３記載のコンピュータ読み取り可能な記憶媒体は、請求項１１に記載の画像通信プログラムを格納する。
【００１５】
請求項１４記載のコンピュータ読み取り可能な記憶媒体は、請求項１２に記載の画像通信プログラムを格納する。
【発明の効果】
【００１６】
本発明によれば、ＩＰ−ＦＡＸ通信における暗号化の有無に応じた付加情報を、送信する画像情報または受信した画像情報に付加するので、セキュリティが守られた状態で画像情報が通信されたことをユーザが容易に知ることができる
【発明を実施するための最良の形態】
【００１７】
以下、本発明の実施の形態を図面を参照しながら詳細に説明する。
【００１８】
図１は、本発明の画像通信装置としてのデジタル複合機がネットワーク接続されＩＰ−ＦＡＸ通信を行うネットワークシステムを示す図である。
【００１９】
図１において、ネットワークシステムは、インターネットやイントラネットなどのネットワーク１０３に、ＲＦＣ２４０１等に規定されたＩＰセキュリティプロトコル通信が可能なデジタル複合機１０１、１０２が接続されている。
【００２０】
デジタル複合機１０１は送信側デジタル複合機であり、ＩＰセキュリティプロトコルを用いてＩＰ−ＦＡＸ通信にて、送信文書を受信側デジタル複合機１０２に送信する機能を備えている。受信側デジタル複合機１０２は、ＩＰ−ＦＡＸ通信にてファクシミリ文書を受信可能である。
【００２１】
図２は、図１におけるデジタル複合機のブロック構成を概略的に示す図である。
【００２２】
図２において、スキャナ装置２０１は、指定されたモード（例えば、紙サイズ、解像度、濃度等）で原稿をスキャンする。プリンタ装置２０２は、プリントする文書をフィニッシャー等の排紙装置を介し、排紙トレーに出力する。操作部表示装置２０３は、ユーザが各種設定操作を行うと共に、装置が動作状態などを表示する。
【００２３】
符号化復号化装置２０４は、送信する画情報をデータに符号化し、データ圧縮する一方、受信した圧縮データを復号化し、元の画情報に復元する。ネットワーク制御部２０５は、ＬＡＮに接続し、他のネットワーク環境下の機器と情報の入出力を行う。なお、ＩＰセキュリティプロトコルに従った暗号化通信を行う場合は、このネットワーク制御部２０５が必要に応じて、送信パケットの暗号化／受信パケットの復号化を行う。システムメモリ２０６は、ＲＡＭ及びＲＯＭ部からなり、装置に予め登録しておく情報を格納する。
【００２４】
ページメモリ２０７は、符号化・復号化を行う際に１ページ分の画情報を展開する。システム制御部２０８は、各制御部や装置やＨＤ（ハードディスク）等を監視・制御するマイクロコンピュータである。暗号化装置２０９は、ＨＤ２１１に画像データを蓄積する際に、上記画像データを暗号化する。
【００２５】
画像データを非暗号化にて蓄積する場合は、符号化復号化装置２０４にて符号化したデータをそのままＨＤ２１１に保存する。画像データを暗号化にて蓄積する場合には符号化復号化装置２０４にて符号化したデータを更に暗号化装置２０９にて暗号化した後、ＨＤＤ２１１に保存する。
【００２６】
ファクシミリ制御部２１０は、ＰＳＴＮ回線等のファクシミリ回線に接続されており、このＰＳＴＮ回線を介して他のファクシミリ装置やデジタル複合機と通信する。ＨＤ２１１は、不揮発性のメモリからなり、受信した文書やスキャンした文書等を格納する。
【００２７】
図３は、図１における送信側デジタル複合機にて送信側ユーザが設定可能な発信元記録設定画面を示す図である。
【００２８】
図３において、発信元記録設定は、図２における操作部表示装置２０３により表示及び設定変更可能である。設定変更されたデータはシステムメモリ２０６内のＲＡＭに格納される。
【００２９】
発信元記録３０１は、送信文書にヘッダーとして付加するか否かを選択、指定する設定画面であり、「付加する」３０２の選択時、以下に記載する発信元記録情報設定３０４及びＩＰ−ＦＡＸ通信情報設定３０５にて選択された発信元記録（ヘッダー）を作成する。「付加しない」３０３の選択時、ＦＡＸ送信及びＩＰ−ＦＡＸ送信時発信元記録（ヘッダー）なしの送信文書を相手先に送信する。
【００３０】
発信元記録情報設定３０４に示される情報は、ＦＡＸ送信及びＩＰ−ＦＡＸ送信時に付加する発信元記録の共通設定情報であり、以下に示す３１０〜３１３の項目からなる。
【００３１】
送信日時３１０は、ＦＡＸ送信及びＩＰ−ＦＡＸ送信する際の送信日時の情報を付加するか否かを指定可能である。本項目をチェックすることにより年月日時分からなる送信日時の情報を発信元記録（ヘッダー）に付加する。
【００３２】
受付番号３１１は、ＦＡＸ送信及びＩＰ−ＦＡＸ送信する際の送信側固有の番号を付加するか否かを指定可能である。本項目をチェックすることにより０〜９までの数字４桁からなる受付番号の情報を発信元記録（ヘッダー）に付加する。
【００３３】
送信元情報３１２は、ＦＡＸ送信及びＩＰ−ＦＡＸ送信する際の送信側に登録されている送信元のアドレス等の情報を付加するか否かを指定可能である。本項目をチェックすることにより送信元アドレスの情報を発信元記録（ヘッダー）に付加する。
【００３４】
送信先情報３１３は、ＦＡＸ送信及びＩＰ−ＦＡＸ送信する際の送信側に登録されている送信宛先又は通信時の通信プロトコルにより得られた送信先のアドレス等の情報を付加するか否かを指定可能である。本項目をチェックすることにより送信先アドレスの情報を発信元記録（ヘッダー）に付加する。
【００３５】
以上、４項目を発信元記録情報設定３０４にて設定可能である。
【００３６】
次に、ＩＰ−ＦＡＸ通信情報設定３０５の情報は、ＩＰ−ＦＡＸ送信を行った場合の固有情報であり、以下に示す３１４〜３２０の項目からなる。
【００３７】
ＩＰセキュリティ通信情報３１４は、ＩＰ−ＦＡＸ通信時、ＩＰセキュリティ通信プロトコルによりＩＰ−ＦＡＸ送信を行った場合、ＩＰセキュリティ通信にて送信したことを示すマーク、記号、文字列等の情報を付加するか否かを指定可能である。本項目をチェックすることによりＩＰセキュリティ通信時、ＩＰセキュリティ通信を示すマーク（図５に後述する）を発信元記録（ヘッダー）に付加する。
【００３８】
Ｆｒｏｍ３１５は、ＩＰ−ＦＡＸ送信する際、ＳＩＰメッセージ中のＦｒｏｍヘッダー情報を付加するか否かを指定可能である。本項目をチェックすることにより発行者名とＳＩＰ  ＵＲＬ情報からなるＦｒｏｍヘッダー情報を発信元記録（ヘッダー）に付加する。
【００３９】
Ｔｏ３１６は、ＩＰ−ＦＡＸ送信する際、ＳＩＰメッセージ中のＴｏヘッダー情報を付加するか否かを指定可能である。本項目をチェックすることにより受信者名とＳＩＰ  ＵＲＬ情報からなるＴｏヘッダー情報を発信元記録（ヘッダー）に付加する。
【００４０】
Ｃａｌｌ−ＩＤ３１７は、ＩＰ−ＦＡＸ送信する際、ＳＩＰメッセージ中のＣａｌｌ−ＩＤヘッダー情報を付加するか否かを指定可能である。本項目をチェックすることによりセッションに関連付けられたＣａｌｌ−ＩＤヘッダー情報を発信元記録（ヘッダー）に付加する。
【００４１】
Ｃｏｎｔａｃｔ３１８は、ＩＰ−ＦＡＸ送信する際、ＳＩＰメッセージ中のＣｏｎｔａｃｔヘッダー情報を付加するか否かを指定可能である。本項目をチェックすることによりユーザが直接連絡を行うためのＵＲＬ情報を持つＣｏｎｔａｃｔヘッダー情報を発信元記録（ヘッダー）に付加する。
【００４２】
ＵＤＰ冗長度３１９は、ＩＰ−ＦＡＸ送信する際、ネットワークトランスポート層ＵＤＰ情報中の冗長度を付加するか否かを指定可能である。本項目をチェックすることによりネットワーク通信におけるパケットロスを考慮したデータ冗長の回数である冗長度情報を発信元記録（ヘッダー）に付加する。
【００４３】
ＵＲＩ３２０は、ＩＰ−ＦＡＸ送信する際、ＳＩＰメッセージ中のＵＲＩ情報を付加するか否かを指定可能である。本項目をチェックすることにより真の送信先のアドレスであるＵＲＩアドレス情報を発信元記録（ヘッダー）に付加する。
【００４４】
以上、説明したように、発信元記録３０１内の各項目の指定により文書送信時、発信元記録（ヘッダー）にユーザにて指定した各種情報を記載することが可能となる。
【００４５】
図４は、図１における受信側デジタル複合機にて受信側ユーザが設定可能なプリント情報記録設定画面を示す図である。
【００４６】
図４において、プリント情報記録設定は、図２における操作部表示装置２０３により表示及び設定変更可能である。設定変更されたデータはシステムメモリ２０６内のＲＡＭに格納される。
【００４７】
プリント情報記録４０１は、文書印刷時にフッターとして付加するか否かを選択、指定する設定画面である。「付加する」４０２の選択時、以下に記載するプリント情報設定４０４及びＩＰ−ＦＡＸ通信情報設定４０５にて選択されたプリント情報記録（フッター）を作成する。「付加しない」４０３を選択時、受信文書印刷時プリント情報記録設定（フッター）なしの文書を印刷する。
【００４８】
プリント情報設定４０４の情報は、文書プリント時に付加するプリント情報記録（フッター）の共通設定情報であり、以下に示す４１０〜４１３の項目からなる。
【００４９】
印刷日時４１０は、文書印刷する際の印刷日時の情報を付加するか否かを指定可能である。本項目をチェックすることにより年月日時分からなる印刷日時の情報をプリント情報記録（フッター）に付加する。
【００５０】
受付番号４１１は、印刷する文書固有の番号を付加するか否かを指定可能である。本項目をチェックすることにより０〜９までの数字４桁からなる受付番号の情報をプリント情報記録（フッター）に付加する。
【００５１】
ページ数４１２は、印刷文書のページ情報を付加するか否かを指定可能である。本項目をチェックすることにより印刷文書のページ数情報をプリント情報記録（フッター）に付加する。
【００５２】
トータルページ数４１３は、印刷文書の総ページ数情報を付加するか否かを指定可能である。本項目をチェックすることにより印刷文書の総ページ数情報をプリント情報記録（フッター）に付加する。
【００５３】
以上、４項目をプリント情報設定４０４にて設定可能である。
【００５４】
次に、ＩＰ−ＦＡＸ通信情報設定４０５の情報は、ＩＰ−ＦＡＸ受信文書の固有情報であり、以下に示す４１４〜４２０の項目からなる。
【００５５】
ＩＰセキュリティ通信情報４１４は、ＩＰ−ＦＡＸ通信時、ＩＰセキュリティ通信プロトコルによりＩＰ−ＦＡＸ送信を行った場合、ＩＰセキュリティ通信にて受信したことを示すマーク、記号、文字列等の情報を付加するか否かを指定可能である。本項目をチェックすることによりＩＰセキュリティ通信時、ＩＰセキュリティ通信を示すマーク（図６に後述する）をプリント情報記録（フッター）に付加する。
【００５６】
Ｆｒｏｍ４１５は、ＩＰ−ＦＡＸ受信する際、ＳＩＰメッセージ中のＦｒｏｍヘッダー情報を付加するか否かを指定可能である。本項目をチェックすることにより発行者名とＳＩＰ  ＵＲＬ情報からなるＦｒｏｍヘッダー情報をプリント情報記録（フッター）に付加する。
【００５７】
Ｔｏ４１６は、ＩＰ−ＦＡＸ受信する際、ＳＩＰメッセージ中のＴｏヘッダー情報を付加するか否かを指定可能である。本項目をチェックすることにより受信者名とＳＩＰ  ＵＲＬ情報からなるＴｏヘッダー情報をプリント情報記録（フッター）に付加する。
【００５８】
Ｃａｌｌ−ＩＤ４１７は、ＩＰ−ＦＡＸ受信する際、ＳＩＰメッセージ中のＣａｌｌ−ＩＤヘッダー情報を付加するか否かを指定可能である。本項目をチェックすることによりセッションに関連付けられたＣａｌｌ−ＩＤヘッダー情報をプリント情報記録（フッター）に付加する。
【００５９】
Ｃｏｎｔａｃｔ４１８は、ＩＰ−ＦＡＸ受信する際、ＳＩＰメッセージ中のＣｏｎｔａｃｔヘッダー情報を付加するか否かを指定可能である。本項目をチェックすることによりユーザが直接連絡を行うためのＵＲＬ情報を持つＣｏｎｔａｃｔヘッダー情報をプリント情報記録（フッター）に付加する。
【００６０】
ＵＤＰ冗長度４１９は、ＩＰ−ＦＡＸ受信する際、ネットワークトランスポート層ＵＤＰ情報中の冗長度を付加するか否かを指定可能である。本項目をチェックすることによりネットワーク通信におけるパケットロスを考慮したデータ冗長の回数である冗長度情報をプリント情報記録（フッター）に付加する。
【００６１】
ＵＲＩ４２０は、ＩＰ−ＦＡＸ受信する際、ＳＩＰメッセージ中のＵＲＩ情報を付加するか否かを指定可能である。本項目をチェックすることにより真の送信先のアドレスであるＵＲＩアドレス情報をプリント情報記録（フッター）に付加する。
【００６２】
以上、説明したように、プリント情報記録４０１内の各項目の指定により受信文書印刷時、プリント情報記録（フッター）にユーザにて指定した各種情報を記載することが可能となる。
【００６３】
図５は、図１のデジタル複合機間のＩＰセキュリティ通信時に、送信文書に付加される発信元記録（ヘッダー）の１例を示す図である。
【００６４】
詳細には、発信元記録３０１において、付加する３０２が選択され、かつ送信日時３１０、受付番号３１１、送信元情報３１２、送信先情報３１３、ＩＰセキュリティ通信情報３１４、Ｆｒｏｍ３１５、Ｔｏ３１６、Ｃａｌｌ−ＩＤ３１７、ＵＤＰ冗長度３１９がユーザ設定により選択されている。
【００６５】
ＩＰセキュリティ通信マーク５０１は、ＩＰセキュリティ通信であることを意味するマークである。ユーザは受信文書中の発信元記録（ヘッダー）にて上記マークを認識することにより経路暗号化されたセキュリティの高い通信により受信した文書であることがわかる。
【００６６】
送信日時５０２は、送信日時３１０が選択されていることにより表示されている。Ｃａｌｌ−ＩＤ５０３には、受付番号又はＣａｌｌ−ＩＤが表示される。本実施の形態では、Ｃａｌｌ−ＩＤ３１７、受付番号３１１がともに表示設定であり、かつＣａｌｌ−ＩＤ＞受付番号の仕様であるためにＣａｌｌ−ＩＤが表示されている。
【００６７】
Ｆｒｏｍ５０４には送信元情報又はＦｒｏｍが表示される。本実施の形態では、送信元情報３１２、Ｆｒｏｍ３１５がともに表示設定であり、かつＦｒｏｍ＞送信元情報の仕様であるためにＦｒｏｍが表示されている。
【００６８】
Ｔｏ５０５には送信先情報又はＴｏ又はＵＲＩが表示される。本実施の形態では、送信先情報３１３、Ｔｏ３１６がともに表示設定、ＵＲＩ３２０が非表示設定であり、かつＵＲＩ＞Ｔｏ＞送信先情報の仕様であるためにＴｏが表示されている。
【００６９】
冗長度５０６にはネットワークトランスポート層ＵＤＰ情報中の冗長度が表示される。本実施の形態では、ＵＲＩ３２０が表示設定であるためにＵＤＰ情報中の冗長度が表示されている。
【００７０】
また、Ｃｏｎｔａｃｔ３１８は、本実施の形態では表示されていないが、Ｃｏｎｔａｃｔ３１８選択時、発信元記録（ヘッダー）の冗長度５０６の後方に表示される仕様である。また、本実施の形態では、受付番号とＣａｌｌ−ＩＤ、ＵＲＩとＴｏと送信先情報を同一エリアに優先順位の高い順に表示しているが、併記表示してもよい。
【００７１】
図６は、図１のデジタル複合機間のＩＰセキュリティ通信による受信文書印刷時に付加されるプリント情報記録（フッター）の１例を示す図である。
【００７２】
詳細には、プリント情報記録４０１において付加する４０２が選択され、かつ印刷日時４１０、受付番号４１１、ページ数４１２、トータルページ数４１３、ＩＰセキュリティ通信情報４１４、Ｃａｌｌ−ＩＤ４１７がユーザ設定により選択されている。
【００７３】
図６において、ＩＰセキュリティ通信マーク６０１は、ＩＰセキュリティ通信であることを意味するマークである。ユーザは、印刷文書中のプリント情報記録（フッター）にて上記マークを認識することにより、経路暗号化されたセキュリティの高い通信により受信した文書であることがわかる。
【００７４】
印刷日時６０２は、印刷日時４１０が選択されていることにより表示されている。Ｃａｌｌ−ＩＤ６０３には受付番号又はＣａｌｌ−ＩＤが表示される。本実施の形態ではＣａｌｌ−ＩＤ４１７、受付番号４１１がともに表示設定であり、かつＣａｌｌ−ＩＤ＞受付番号であるためにＣａｌｌ−ＩＤが表示されている。
【００７５】
ページ数６０４には印刷文書のページ数が表示される。トータルページ数６０５には印刷文書のトータルページ数が表示される。
【００７６】
またＦｒｏｍ４１５、Ｔｏ４１６、Ｃｏｎｔａｃｔ４１８、ＵＤＰ冗長度４１９、ＵＲＩ４２０は、本実施の形態では表示されていないが、各項目選択時表示される仕様である。また、本実施の形態では、受付番号とＣａｌｌ−ＩＤ、ＵＲＩとＴｏと送信先情報を同一エリアに優先順位の高い順に表示しているが、併記表示してもよい。
【００７７】
図７は、図２のデジタル複合機によって実行されるＦＡＸ発信元記録作成処理の手順を示すフローチャートである。
【００７８】
本処理は、図２におけるシステム制御部２０８によって実行される。
【００７９】
図７において、まず、ステップＳ７０１において、デジタル複合機１０１内のシステムメモリ２０６内のＲＡＭに格納されている発信元記録３０１の情報を取得し、付加する３０２が選択されている場合、ステップＳ７０２に移行する。付加しない３０３が選択されている場合、発信元記録（ヘッダー）の付加を行わず、本処理を終了する。
【００８０】
次に、ステップＳ７０２において、本通信がネットワーク制御部２０５よりＩＰ−ＦＡＸ通信であるか否かの情報、そしてファクシミリ制御部２１０よりＦＡＸ通信であるか否かの情報を取得する。ＩＰ−ＦＡＸ通信である場合にはステップＳ７０３に移行し、ＦＡＸ通信である場合にはステップＳ７０４に移行する。
【００８１】
次に、ステップＳ７０３において、ネットワーク制御部２０５よりＩＰ−ＦＡＸ通信が経路暗号通信であるＩＰセキュリティ通信であるか否かの情報を取得し、ＩＰセキュリティ通信の場合にはステップＳ７０５に移行する。ＩＰセキュリティ通信でない場合にはステップ７０６Ｓに移行する。
【００８２】
次に、ステップＳ７０４において、本通信がＦＡＸ通信であることより、システムメモリ２０６内のＲＡＭに格納されている発信元記録３０１内の発信元記録情報設定３０４に従って、発信元記録（ヘッダー）情報を作成する。
【００８３】
即ち、送信日時３１０、受付番号３１１、送信元情報３１２、送信先情報３１３の内、選択されている情報をファクシミリ制御部２１０より取得し、発信元記録（ヘッダー）情報を作成し、ページメモリ２０７に展開されている１ページ分の送信文書の上部に画像付加する。
【００８４】
ステップＳ７０５で、本通信がＩＰ−ＦＡＸ通信であることより、システムメモリ２０６内のＲＡＭに格納されている発信元記録３０１内の発信元記録情報設定３０４及びＩＰ−ＦＡＸ通信情報設定３０５に従って、発信元記録（ヘッダー）情報を作成する。
【００８５】
即ち、各情報設定３０４及び３０５の情報の内、選択されている情報をネットワーク制御部２０５より取得し発信元記録（ヘッダー）情報を作成し、ページメモリ２０７に展開されている１ページ分の送信文書の上部に画像付加する。
【００８６】
また、ステップＳ７０６において、本通信がＩＰ−ＦＡＸ通信であることより、発信元記録３０１内の発信元記録情報設定３０４及びＩＰ−ＦＡＸ通信情報設定３０５に従って、発信元記録（ヘッダー）情報を作成する。
【００８７】
即ち、各情報設定３０４及び３０５の情報の内、選択されている情報をネットワーク制御部２０５より取得し発信元記録（ヘッダー）情報を作成し、ページメモリ２０７に展開されている１ページ分の送信文書の上部に画像付加する。その後、ネットワーク制御部２０５が、送信すべき画像データに基づくＩＰパケットをＩＰセキュリティプロトコルに従って暗号化して、宛先として指定された相手端末に送信する。
【００８８】
図８は、図２のデジタル複合機によって実行されるプリント情報記録作成処理の手順を示すフローチャートである。
【００８９】
本処理は、図２におけるシステム制御部２０８によって実行される。
【００９０】
図８において、まず、ステップＳ８０１において、デジタル複合機１０２内のシステムメモリ２０６内のＲＡＭに格納されているプリント情報記録４０１の情報を取得し、付加する４０２が選択されている場合、ステップ８０２（Ｓ８０２）に移行する。付加しない４０３が選択されている場合、プリント情報記録（フッター）の付加を行わず、本処理を終了する。
【００９１】
次に、ステップＳ８０２において、受信文書がネットワーク制御部２０５よりＩＰ−ＦＡＸ受信した文書であるか否かの情報、そして、ファクシミリ制御部２１０よりＦＡＸ受信した文書であるか否かの情報を取得する。ＩＰ−ＦＡＸ通信である場合にはＳステップ８０３に移行し、ＦＡＸ通信である場合にはステップＳ８０４に移行する。
【００９２】
次に、ステップＳ８０３において、ネットワーク制御部２０５よりＩＰ−ＦＡＸ通信が経路暗号通信であるＩＰセキュリティ通信であるか否かの情報を取得し、ＩＰセキュリティ通信の場合にはステップＳ８０５に移行する。ＩＰセキュリティ通信でない場合にはステップＳ８０６に移行する。
【００９３】
次に、ステップＳ８０４において、ＦＡＸ受信文書の印刷であることより、システムメモリ２０６内のＲＡＭに格納されているプリント情報記録４０１内のプリント情報設定４０４に従って、プリント情報記録（フッター）情報を作成する。
【００９４】
即ち、印刷日時４１０、受付番号４１１、ページ数４１２、トータルページ数４１３の内、選択されている情報をファクシミリ制御部２１０より取得しプリント情報記録（フッター）情報を作成する。そして、ページメモリ２０７に展開されている１ページ分の印刷文書の下部に画像付加する。
【００９５】
また、ステップＳ８０５で、受信文書がＩＰセキュリティプロトコルによるＩＰ−ＦＡＸ受信文書であることより、プリント情報記録４０１内のプリント情報設定４０４及びＩＰ−ＦＡＸ通信情報設定４０５に従って、プリント情報記録（フッター）情報を作成する。
【００９６】
即ち、プリント情報設定４０４及びＩＰ−ＦＡＸ通信情報設定４０５の各情報の内、選択されている情報をネットワーク制御部２０５より取得しプリント情報記録（フッター）情報を作成する。そして、ページメモリ２０７に展開されている１ページ分の印刷文書の下部に画像付加する。
【００９７】
また、ステップＳ８０６において、受信文書がＩＰ−ＦＡＸ通信による受信文書であることより、プリント情報記録４０１内のプリント情報設定４０４及びＩＰ−ＦＡＸ通信情報設定４０５の設定に従って、プリント情報記録（フッター）情報を作成する。
【００９８】
即ち、プリント情報設定４０４及びＩＰ−ＦＡＸ通信情報設定４０５の各情報の内、選択されている情報をネットワーク制御部２０５より取得しプリント情報記録（フッター）情報を作成する。そして、ここで作成した情報を、ネットワーク制御部２０５において受信して復号化され、ページメモリ２０７に展開されている１ページ分の印刷文書の下部に画像付加する。その後、プリンタ装置２０２より印刷出力される。
【００９９】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【０１００】
この場合、記憶媒体から読み出されたプログラムコード自体が前述した実施の形態の機能を実現することになり、そのプログラムコード及び該プログラムコードを記憶した記憶媒体は本発明を構成することになる。
【０１０１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【０１０２】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【０１０３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【０１０４】
【図１】本発明の画像通信装置としてのデジタル複合機がネットワーク接続されＩＰ−ＦＡＸ通信を行うネットワークシステムを示す図である。
【図２】図１におけるデジタル複合機のブロック構成を概略的に示す図である。
【図３】図１における送信側デジタル複合機にて送信側ユーザが設定可能な発信元記録設定画面を示す図である。
【図４】図１における受信側デジタル複合機にて受信側ユーザが設定可能なプリント情報記録設定画面を示す図である。
【図５】図１のデジタル複合機間のＩＰセキュリティ通信時に、送信文書に付加される発信元記録（ヘッダー）の１例を示す図である。
【図６】図１のデジタル複合機間のＩＰセキュリティ通信による受信文書印刷時に付加されるプリント情報記録（フッター）の１例を示す図である。
【図７】図２のデジタル複合機によって実行されるＦＡＸ発信元記録作成処理の手順を示すフローチャートである。
【図８】図２のデジタル複合機によって実行されるプリント情報記録作成処理の手順を示すフローチャートである。
【符号の説明】
【０１０５】
１０１  デジタル複合機（送信側）
１０２  デジタル複合機（受信側）
１０３  インターネット
２０１  スキャナ装置
２０２  プリンタ装置
２０３  操作部表示装置
２０４  符号化復号化装置
２０５  ネットワーク制御部
２０６  システムメモリ
２０７  ページメモリ
２０８  システム制御部
２０９  暗号化装置
２１０  ファクシミリ制御部
２１１  ＨＤ（ハードディスク）
２１２  バス
【図１】
2008131494.tif 000003
【図２】
2008131494.tif 000004
【図３】
2008131494.tif 000005
【図４】
2008131494.tif 000006
【図５】
2008131494.tif 000007
【図６】
2008131494.tif 000008
【図７】
2008131494.tif 000009
【図８】
2008131494.tif 000010